(57)【要約】【課題】  建築物外観の意匠性を低下させることがないとともに、水抜きパイプに目詰まりが生じ難くい押出成形セメント板の接合部止水構造を得る。【解決手段】  縦張りされた押出成形セメント板３１の縦目地ＶＭと横目地ＨＭとの交差部ＣＭに適用される押出成形セメント板の接合部止水構造であって、水切プレート３５が、水平片３５ａと起立片３５ｂとからなる断面Ｌ字状で形成され、水切プレート３５の水平片３５ａが、縦目地ＶＭを横断する位置で下側の押出成形セメント板ＤＬ、ＤＲと上側の押出成形セメント板ＵＬ、ＵＲとの間に挟着され、上端を水平片３５ａの上面に開口させた排水管３７の下端が、下側の押出成形セメント板同士の間に形成される縦目地ＶＭを貫通し外部へ開口される。【選択図】図１
2005213894.tif 000002
【特許請求の範囲】
【請求項１】
縦張りされた押出成形セメント板の縦目地と横目地との交差部に適用される押出成形セメント板の接合部止水構造であって、
水切プレートが、水平片と起立片とからなる断面Ｌ字状で形成され、
該水切プレートの前記水平片が、縦目地を横断する位置で下側の押出成形セメント板と上側の押出成形セメント板との間に挟着され、
上端を前記水平片の上面に開口させた排水管の下端が、下側の押出成形セメント板同士の間に形成される縦目地を貫通し外部へ開口されたことを特徴とする押出成形セメント板の接合部止水構造。
【請求項２】
前記水平片の前縁に、前記起立片と平行に起立する水返片が折曲され、
該水返片が、上側の押出成形セメント板の下端面に当接されたことを特徴とする請求項１記載の押出成形セメント板の接合部止水構造。
【請求項３】
前記水切プレート及び前記配水管が、各階層の境界に位置する前記交差部に配設されたことを特徴とする請求項１又は請求項２記載の押出成形セメント板の接合部止水構造。
【請求項４】
横張りされた押出成形セメント板の縦目地と横目地との交差部に適用される押出成形セメント板の接合部止水構造であって、
縦目地を挟む、左側の押出成形セメント板の右端面下部と、右側の押出成形セメント板の左端面下部とのそれぞれに塞ぎパッキン部材が設けられ、
該塞ぎパッキン部材が、
上側の押出成形セメント板と下側の押出成形セメント板との間に挟着される挟着パッキンと、該挟着パッキンの側面に連設され横目地の断面を塞ぐ塞ぎブロックと、該塞ぎブロックの後端面から上方に延設されて突出する水返板とからなり、
前記交差部では一対の前記塞ぎパッキン部材の前記塞ぎブロック同士が密接されるとともに、上端を該塞ぎブロック同士の上面に開口させた排水管の下端が、押出成形セメント板同士の間に形成される縦目地を貫通して外部へ開口されたことを特徴とする押出成形セメント板の接合部止水構造。
【請求項５】
前記塞ぎパッキン部材が、各階層の境界に位置する前記交差部に配設されたことを特徴とする請求項４記載の押出成形セメント板の接合部止水構造。
【発明の詳細な説明】
【技術分野】
【０００１】
本発明は、押出成形セメント板の接合部止水構造に関し、特に、建築物外観の意匠性を低下させることなく、雨水の止水機能を高めた改良技術に関する。
【背景技術】
【０００２】
未硬化のセメント材を押出した後に硬化させて得る押出成形セメント板は、軽量で、高強度を有することから建物の外装板として好適に用いられる。この種の押出成形セメント板は、一般的にファスナーやＺクリップと称される取付金具を用いることで、建物の躯体に取付けられる。押出成形セメント板を外壁として躯体に取り付ける場合、上下に隣接する押出成形セメント板間に横目地が形成され、左右に隣接する押出成形セメント板間に縦目地が形成される。このように形成された横目地及び縦目地をシーリング材によってシールすることで、これらの目地部から建築物の室内側への雨水の浸入を阻止している。
【０００３】
ところが、このようなシール構造では、シーリング材の経年劣化等により雨水が躯体側へ浸入する恐れがある。このような雨水の浸入を防ぐため、目地部に二次的な防水性を付与することが行われている。
【０００４】
例えば下記特許文献１に開示される押し出し成形セメント板の接合部止水構造は、図１１に示すように、外壁として用いる押し出し成形セメント板１ａ、１ｂの接合部２において、上下の押し出し成形セメント板に渡る漏水防止用の止水板３であって、該止水板の下端部３ａが下段の押し出し成形セメント板１ｂのリブ面４に設けた溝５に挿入された止水板を、Ｌ型通し部材６に支持させて取り付け、かつ押し出し成形セメント板の最下部７に、外部まで延長した水切板８をＬ型通し部材６に支持させて取り付け、かつ該最下部の目地部に水抜きパイプ９を設けている。
【０００５】
また、下記特許文献２に開示される押出成形版用防水目地材を用いた横目地部構造は、図１２、図１３に示すように、目地材Ａをパネル１１に形成された凸部１４と凹部１５とによって形成される間隙１６と間隙１７とに対応した形状を持って形成し、間隙１６に対応して第１シール部１９を配置すると共に、間隙１７に対応して第２シール部２１を配置して両者を第３シール部２３を介して一体化させ、更に第１シール部１９の片側下縁に引っ掛け部２５を突設し、この引っ掛け部２５を前記パネル１１の凸部１４の側面に当接する。前記凸部１４と凹部１５との間に配設された横目地ガスケット２２の端部２２ａを、第１シール部１９の端部に穿設されたスリット２７に嵌入して、目地材Ａと横目地ガスケット２２とを相互に連結している。
【０００６】
【特許文献１】特開平６−５７８３０号公報
【特許文献２】特開平８−２６０５８０号公報
【発明の開示】
【発明が解決しようとする課題】
【０００７】
しかしながら、上記特許文献１に開示される押し出し成形セメント板の接合部止水構造は、縦張りの押出成形セメント板の横目地の止水構造に係わるものであり、内水切で躯体側へ浸入した雨水を中空部へ排水し、最下部のパネルから排水するか、何層か毎に外水切を取付ける必要があった。そして、外水切を採用した場合には、各層毎の排水は行えるが、各層毎に外水切が表出し、建築物外観の意匠性を低下させた。
また、上記特許文献２に開示される押出成形版用防水目地材を用いた横目地部構造は、縦目地の止水構造に係わるものであり、縦目地を伝わった水が横目地へ浸入するのを防ぐ構造であるが、水抜きパイプが逆流防止弁付きのため、目詰まりし易く、適切に雨水が外部に排出されず、縦目地の最下部で浸入水が多くなりオーバーフローする恐れもあった。
さらに、外水切を使用しない場合は、各層毎での排水でないため、漏水した際の漏水箇所の特定が困難であった。
本発明は上記状況に鑑みてなされたもので、建築物外観の意匠性を低下させることがないとともに、水抜きパイプに目詰まりが生じ難く、しかも、オーバーフローが発生せずに、漏水箇所の特定も容易な押出成形セメント板の接合部止水構造を得ることにある。
【課題を解決するための手段】
【０００８】
上記目的を達成するための本発明に係る請求項１記載の押出成形セメント板の接合部止水構造は、縦張りされた押出成形セメント板の縦目地と横目地との交差部に適用される押出成形セメント板の接合部止水構造であって、水切プレートが、水平片と起立片とからなる断面Ｌ字状で形成され、該水切プレートの前記水平片が、縦目地を横断する位置で下側の押出成形セメント板と上側の押出成形セメント板との間に挟着され、上端を前記水平片の上面に開口させた排水管の下端が、下側の押出成形セメント板同士の間に形成される縦目地を貫通し外部へ開口されたことを特徴とする。
【０００９】
この押出成形セメント板の接合部止水構造では、経年劣化等によって縦目地のシーリング材が切れ、雨水等が浸入しても、浸入雨水が水切プレートの水平片に受け止められ、この水平片上面に開口する排水管を介して外部へと排出されることになる。これにより、外水切を使用しなくても層間排水が可能となる。また、排水管も簡素な構造のものが使用可能となり、逆流防止弁付きの高価な水抜パイプを用いる必要がなくなる。
【００１０】
請求項２記載の押出成形セメント板の接合部止水構造は、前記水平片の前縁に、前記起立片と平行に起立する水返片が折曲され、該水返片が、上側の押出成形セメント板の下端面に当接されたことを特徴とする。
【００１１】
この押出成形セメント板の接合部止水構造では、水平片で受けられた浸入雨水の前縁からの溢れが水返片によって阻止される。また、水返片の上端が上側の押出成形セメント板の下端面に当接することで、水平片の姿勢が水平に位置決めされ易くなる。さらに、交差部における横目地が経年劣化した場合であっても、水返片が障壁として作用し、雨水が浸入し難くなる。
【００１２】
請求項３記載の押出成形セメント板の接合部止水構造は、前記水切プレート及び前記配水管が、各階層の境界に位置する前記交差部に配設されたことを特徴とする。
【００１３】
この押出成形セメント板の接合部止水構造では、万一漏水が発生した場合であっても、層間毎で排水がなされ、最下部に多量の雨水が集中しなくなる。また、漏水箇所が各層内単位で発見可能となり、多層間に亘って漏水箇所を調べる必要がなくなる。
【００１４】
請求項４記載の押出成形セメント板の接合部止水構造は、横張りされた押出成形セメント板の縦目地と横目地との交差部に適用される押出成形セメント板の接合部止水構造であって、縦目地を挟む、左側の押出成形セメント板の右端面下部と、右側の押出成形セメント板の左端面下部とのそれぞれに塞ぎパッキン部材が設けられ、該塞ぎパッキン部材が、上側の押出成形セメント板と下側の押出成形セメント板との間に挟着される挟着パッキンと、該挟着パッキンの側面に連設され横目地の断面を塞ぐ塞ぎブロックと、該塞ぎブロックの後端面から上方に延設されて突出する水返板とからなり、前記交差部では一対の前記塞ぎパッキン部材の前記塞ぎブロック同士が密接されるとともに、上端を該塞ぎブロック同士の上面に開口させた排水管の下端が、押出成形セメント板同士の間に形成される縦目地を貫通して外部へ開口されたことを特徴とする。
【００１５】
この押出成形セメント板の接合部止水構造では、経年劣化等によって縦目地のシーリング材が切れ、雨水等が浸入しても、浸入雨水が塞ぎパッキン部材の上面で受け止められ、さらに、水返板によって押出成形セメント板の背面側への漏水が阻止される。そして、塞ぎパッキン部材の上面で受け止められた浸入雨水は、この上面に開口する排水管を介して外部へと排出される。これにより、外水切を使用しなくても層間排水が可能となる。また、排水管も簡素な構造のものが使用可能となり、逆流防止弁付きの高価な水抜パイプを用いる必要がなくなる。
【００１６】
請求項５記載の押出成形セメント板の接合部止水構造は、前記塞ぎパッキン部材が、各階層の境界に位置する前記交差部に配設されたことを特徴とする。
【００１７】
この押出成形セメント板の接合部止水構造では、万一漏水が発生した場合であっても、層間毎で排水がなされ、最下部に多量の雨水が集中しなくなる。また、漏水箇所が各層内単位で発見可能となり、多層間に亘って漏水箇所を調べる必要がなくなる。
【発明の効果】
【００１８】
本発明に係る請求項１記載の押出成形セメント板の接合部止水構造によれば、水切プレートが断面Ｌ字状で形成され、この水切プレートの水平片が、縦目地を横断する位置で下側の押出成形セメント板と上側の押出成形セメント板との間に挟着され、水平片の上面に開口させた排水管の下端が、下側の押出成形セメント板同士の縦目地を貫通し外部へ開口されたので、外水切を使用しなくても層間排水ができ、建物外観の意匠性低下を防止することができる。また、逆流防止弁付き水抜パイプを用いなくてもよいので、コストを抑えることができるとともに、パイプの目詰まりも防止することができる。
【００１９】
本発明に係る請求項２記載の押出成形セメント板の接合部止水構造によれば、水平片の前縁に水返片が折曲され、この水返片が、上側の押出成形セメント板の下端面に当接されるので、水平片で受けた浸入雨水を溢れさせて横目地へ流出させることがなく、排水管によって雨水を確実に外部へ排出することができる。
【００２０】
本発明に係る請求項３記載の押出成形セメント板の接合部止水構造によれば、水切プレート及び配水管が、各階層の境界に位置する交差部に配設されたので、万一漏水が発生した場合であっても、層間で排水するので、最下部でオーバーフローすることがなく、また、漏水箇所を容易に特定することができる。これにより、建物のメンテナンスにかかる費用を低減することができる。
【００２１】
本発明に係る請求項４記載の押出成形セメント板の接合部止水構造によれば、縦目地を挟む、左側の押出成形セメント板の右端面下部と、右側の押出成形セメント板の左端面下部とのそれぞれに塞ぎパッキン部材が設けられ、交差部では塞ぎブロック同士が密接されるとともに、上端を塞ぎブロック同士の上面に開口させた排水管の下端が、押出成形セメント板同士の間に形成される縦目地を貫通して外部へ開口されるので、外水切を使用しなくても層間排水ができ、建物外観の意匠性低下を防止することができる。また、逆流防止弁付き水抜パイプを用いなくてもよいので、コストを抑えることができるとともに、パイプの目詰まりも防止することができる。
【００２２】
本発明に係る請求項５記載の押出成形セメント板の接合部止水構造によれば、塞ぎパッキン部材が、各階層の境界に位置する交差部に配設されたので、万一漏水が発生した場合であっても、層間で排水するので、最下部でオーバーフローすることがなく、また、漏水箇所を容易に特定することができる。これにより、建物のメンテナンスにかかる費用を低減することができる。
【発明を実施するための最良の形態】
【００２３】
以下、本発明に係る押出成形セメント板の接合部止水構造の好適な実施の形態を図面を参照して説明する。
図１は本発明に係る接合部止水構造の第１の実施の形態の斜視図、図２は図１の要部縦断面図、図３は図１の要部正面図、図４は図１の要部横断面図である。
本実施の形態による押出成形セメント板の接合部止水構造は、縦張りされた押出成形セメント板３１の縦目地ＶＭと横目地ＨＭとの交差部ＣＭに適用される。押出成形セメント板３１は、押出し方向に中空穴３３が形成される。縦張りでは、この中空穴３３が上下方向に延在する向きで押出成形セメント板３１が躯体側の支持部材に取り付けられる。
【００２４】
この接合部止水構造では、内水切である水切プレート３５が使用される。水切プレート３５は、水平片３５ａと起立片３５ｂとからなる断面Ｌ字状で形成される。水切プレート３５は、水平片３５ａが、縦目地ＶＭを横断する位置で、下側の押出成形セメント板３１ＤＬ、ＤＲと、上側の押出成形セメント板ＵＬ、ＵＲとの間に挟着される。水切プレート３５の水平片３５ａには排水管３７が接続され、一体化されている。排水管３７は、上端を水平片３５ａの上面３９に開口させ、下端を下側の押出成形セメント板３１ＤＬ、ＤＲ同士の間に形成される縦目地ＶＭを貫通し外部へ開口させている。
【００２５】
したがって、内水切である水切プレート３５に排水管３７を一体化したものを用いることで、中空穴３３に浸入した雨水を、下側の押出成形セメント板３１ＤＬ、ＤＲの中空穴３３に流すことなく、層間で受け、排水管３７により外部に排出できるようになっている。
【００２６】
水平片３５ａの前縁には水返片４１が設けられ、水返片４１は起立片３５ｂと平行に起立して折曲される。この水返片４１は、図２に示すように、上側の押出成形セメント板ＵＬ、ＵＲの下端面４３に当接される。水返片４１が設けられることで、水切プレート３５は、水平片３５ａで受けられた浸入雨水の前縁からの溢れが阻止される。また、水返片４１の上端が上側の押出成形セメント板ＵＬ、ＵＲの下端面４３に当接することで、水平片３５ａの姿勢が水平に位置決めされ易くなる。さらに、交差部ＣＭにおける横目地ＨＭが経年劣化した場合であっても、水平片３５ａが障壁として作用し、雨水が浸入し難くなる。
【００２７】
このように、水平片３５ａの前縁に水返片４１が折曲され、この水返片４１が、上側の押出成形セメント板ＵＬ、ＵＲの下端面４３に当接されることで、水平片３５ａで受けた浸入雨水を溢れさせて横目地ＨＭへ流出させることがなく、排水管３７によって雨水を確実に外部へ排出することができる。
【００２８】
縦目地ＶＭを挟む押出成形セメント板３１の側面には、図１、図４に示すガスケット４５が挟着される。押出成形セメント板３１の側面には上下方向の凹溝４７を挟んで、平行な二条の凸面４９、５１が形成されるが、ガスケット４５はこのうち、室内側の凸面５１に挟着されることが好ましい。押出成形セメント板３１は、下端面４３が山形鋼材５３によって支持される。山形鋼材５３は、図示しない躯体側支持鋼材に固定される。図２に示すように、山形鋼材５３は、水切プレート３５、パッキン材５５を介して押出成形セメント板３１の下端面４３を支持している。
【００２９】
水切プレート３５の起立片３５ｂにはバックアップ材５７が設けられ、バックアップ材５７は押出成形セメント板３１の背面に当接することで水切プレート３５と押出成形セメント板３１との相対位置を規制する。バックアップ材５７の上方には横ガスケット５９が設けられ、横ガスケット５９は起立片３５ｂと押出成形セメント板３１との間を止水する。また、水平片３５ａの下面と、下側の押出成形セメント板３１ＤＬ、ＤＲとの間には挟入材６１が挟入され、挟入材６１は水平片３５ａと下側の押出成形セメント板３１ＤＬ、ＤＲの上端面との間に生じる隙間を塞いでいる。このようにして、上側の押出成形セメント板ＵＬ、ＵＲ、下側の押出成形セメント板３１ＤＬ、ＤＲとが取り付けられることで形成される縦目地ＶＭ、横目地ＨＭにはシーリング材６５が充填され、シーリング材６５は外部から目地内への雨水の浸入を阻止している。
【００３０】
この水切プレート３５及び排水管３７は、各階層の境界に位置する交差部ＣＭに配設される。排水管３７は、各層毎、縦目地ＶＭ毎に取付けても良いし、何層か毎、縦目地ＶＭの何本か毎に取り付けても良い。すなわち、排水管３７の取付数は、使用条件（壁面の面積、建物高さ、立地条件、周囲の環境）に応じて選択すれば良い。
【００３１】
排水管３７は、ｌ００〜２５０ｍｍ程度の長さのものを使用できるが、使用条件（壁面の面積、建物高さ、立地条件、周囲の環境）に応じた長さの物を用いることができる。また、排水管３７が目地部分より突出する長さは、６〜１２ｍｍ程度であるが、使用条件（壁面の面積、建物高さ、立地条件、周囲の環境）に応じた長さとすることができる。排水管３７は、への字形状に屈曲させることで、高価な逆流防止弁付きの水抜きパイプを用いることなく、外部からの水の逆流を防ぐことができる。
【００３２】
水切プレート３５と排水管３７の材質は、アルミ、ステンレス、プラスチック、ゴムなどを用いることができる。水切プレート３５は、アルミなど金属系の材料を用いた場合は、裏面側ガスケットは後付となるが、プラスチックやゴム系の材料を用いた場合は、図２示す断面形状のものを一体とすることができる。
【００３３】
上記のように、水切プレート３５及び排水管３７は、各階層の境界に位置する交差部ＣＭに配設されるので、万一漏水が発生した場合であっても、層間毎で排水がなされ、最下部に多量の雨水が集中しなくなる。また、漏水箇所が各層内単位で発見可能となり、多層間に亘って漏水箇所を調べる必要がなくなる。これにより、最下部でオーバーフローすることがなく、また、漏水箇所を容易に特定することができ、建物のメンテナンスにかかる費用を低減することができる。
【００３４】
この押出成形セメント板の接合部止水構造では、経年劣化等によって縦目地ＶＭのシーリング材６５が切れ、雨水等が浸入しても、浸入雨水が水切プレート３５の水平片３５ａに受け止められ、この水平片上面に開口する排水管３７を介して浸入雨水が外部へと排出されることになる。
【００３５】
したがって、この押出成形セメント板の接合部止水構造によれば、外水切を使用しなくても層間排水ができ、建物外観の意匠性低下を防止することができる。また、逆流防止弁付き水抜パイプを用いなくてもよいので、コストを抑えることができるとともに、パイプの目詰まりも防止することができる。
【００３６】
次に、本発明に係る押出成形セメント板の接合部止水構造の第２の実施の形態を説明する。
図５は本発明に係る接合部止水構造の第２の実施の形態の斜視図、図６は塞ぎパッキン部材の側面図、図７は図６のＡ−Ａ矢視図、図８は図７のＢ−Ｂ矢視図、図９は図５の要部縦断面図、図１０は図５の要部横断面図である。なお、図１〜図４に示した部材及び部位と同一の部材及び部位には同一の符号を付し、重複する説明は省略するもののとする。
この実施の形態による接合部止水構造は、横張りされた押出成形セメント板３１の縦目地ＶＭと横目地ＨＭとの交差部ＣＭに適用される。
【００３７】
この接合部止水構造では、縦目地ＶＭを挟む、左側の押出成形セメント板ＵＬの右端面下部と、右側の押出成形セメント板ＵＲの左端面下部とのそれぞれに塞ぎパッキン部材７１（７１Ｒ、７１Ｌ）が設けられる。塞ぎパッキン部材７１は、上側の押出成形セメント板ＵＬ、ＵＲと、下側の押出成形セメント板３１ＤＬ、ＤＲとの間に挟着される図８に示す挟着パッキン７３と、この挟着パッキン７３の側面に連設され横目地ＨＭの断面を図９に示すようにして塞ぐ図５に示す塞ぎブロック７５と、この塞ぎブロック７５の後端面から上方に延設されて突出する水返板７７とからなる。挟着パッキン７３は、横ガスケット７４の端部を挟持する一対の挟持突起７３ａ、７３ａを有している。なお、水返板７７は、図１０に示すように、押出成形セメント板３１側に張り出して、当該張り出し部分が押出成形セメント板３１の背面と密接するものであることが望ましい
【００３８】
塞ぎパッキン部材７１は、右勝手と、左勝手との２種類の形状を有する。右勝手の塞ぎパッキン部材７１Ｒは、図１０に示すように、挟着パッキン７３の右側に塞ぎブロック７５を有し、左勝手の塞ぎパッキン部材７１Ｌは、挟着パッキン７３の左側に塞ぎブロック７５を有する。図５に示す交差部ＣＭでは、一対の塞ぎパッキン部材７１Ｒ、７１Ｌの塞ぎブロック７５同士が密接されるとともに、上端を塞ぎブロック７５同士の上面に開口させた排水管７９の下端が、押出成形セメント板同士の間に形成される縦目地ＶＭを貫通して外部へ開口される。この場合の排水管７９は、直管材を用い、外部へ向けて下り勾配で配設される。
【００３９】
塞ぎパッキン部材７１は、各階層の境界に位置する交差部ＣＭに配設される。塞ぎパッキン部材７１は、塞ぎブロック７５に水返板７７を一体化することで、左右それぞれの押出成形セメント板３１の横目地ＨＭに取付けられた水返板７７が縦目地ＶＭを塞ぐことになり、この部分で受けた水を室内側へ流出させることなく、確実に外部に排出することが可能となっている。
【００４０】
そして、万一漏水が発生した場合であっても、層間毎で排水がなされ、最下部に多量の雨水が集中しなくなる。また、漏水箇所が各層内単位で発見可能となり、多層間に亘って漏水箇所を調べる必要がなくなる。これにより、浸入雨水が最下部でオーバーフローすることがなく、また、漏水箇所を容易に特定することができ、建物のメンテナンスにかかる費用を低減することができる。
【００４１】
この押出成形セメント板の接合部止水構造では、経年劣化等によって縦目地ＶＭのシーリング材が切れ、雨水等が浸入しても、浸入雨水が塞ぎパッキン部材７１の上面で受け止められ、さらに、水返板７７によって押出成形セメント板３１の背面側への漏水が阻止される。そして、塞ぎパッキン部材７１の上面で受け止められた浸入雨水は、この上面に開口する排水管７９を介して外部へと排出される。これにより、外水切を使用しなくても層間排水が可能となる。また、排水管７９も簡素な構造のものが使用可能となり、逆流防止弁付きの高価な水抜パイプを用いる必要がなくなる。
【００４２】
したがって、この押出成形セメント板の接合部止水構造によれば、縦目地ＶＭを挟む、左側の押出成形セメント板ＵＬの右端面下部と、右側の押出成形セメント板ＵＲの左端面下部とのそれぞれに塞ぎパッキン部材７１が設けられ、交差部ＣＭでは塞ぎブロック７５同士が密接されるとともに、上端を塞ぎブロック７５同士の上面に開口させた排水管７９の下端が、押出成形セメント板同士の間に形成される縦目地ＶＭを貫通して外部へ開口されるので、外水切を使用しなくても層間排水ができ、建物外観の意匠性低下を防止することができる。また、逆流防止弁付き水抜パイプを用いなくてもよいので、コストを抑えることができるとともに、パイプの目詰まりの心配もなくすことができる。
【図面の簡単な説明】
【００４３】
【図１】本発明に係る接合部止水構造の第１の実施の形態の斜視図である。
【図２】図１の要部縦断面図である。
【図３】図１の要部正面図である。
【図４】図１の要部横断面図である。
【図５】本発明に係る接合部止水構造の第２の実施の形態の斜視図である。
【図６】塞ぎパッキン部材の側面図である。
【図７】図６のＡ−Ａ矢視図である。
【図８】図７のＢ−Ｂ矢視図である。
【図９】図５の要部縦断面図である。
【図１０】図５の要部横断面図である。
【図１１】従来の押し出し成形セメント板の接合部止水構造の縦断面図である。
【図１２】従来の目地材の取付構造の要部を示す平面図である。
【図１３】図１２に示した要部の縦断面図である。
【符号の説明】
【００４４】
３１…押出成形セメント板、３５…水切プレート、３５ａ…水平片、３５ｂ…起立片、３７、７９…排水管、３９…上面、４１…水返片、４３…下端面、７１…塞ぎパッキン部材、７３…挟着パッキン、７５…塞ぎブロック、７７…水返板、ＣＭ…交差部、ＤＬ、ＤＲ…下側の押出成形セメント板、ＨＭ…横目地、ＵＲ…右側の押出成形セメント板、ＵＬ、ＵＲ…上側の押出成形セメント板、ＵＬ…左側の押出成形セメント板、ＶＭ…縦目地
【図１】
2005213894.tif 000003
【図２】
2005213894.tif 000004
【図３】
2005213894.tif 000005
【図４】
2005213894.tif 000006
【図５】
2005213894.tif 000007
【図６】
2005213894.tif 000008
【図７】
2005213894.tif 000009
【図８】
2005213894.tif 000010
【図９】
2005213894.tif 000011
【図１０】
2005213894.tif 000012
【図１１】
2005213894.tif 000013
【図１２】
2005213894.tif 000014
【図１３】
2005213894.tif 000015